(57)【特許請求の範囲】
【請求項１】
導電性を有する棒端子と、
基板の導体パターンに電気的に接続された接点金具と、
前記基板に実装されており、前記接点金具を覆う保護部を備え、前記棒端子が貫通する穴が前記保護部に形成されている土台と、
前記棒端子を前記接点金具に圧接させるクランプばねを備え、前記棒端子をクランプするクランプ構造部とを有し、
前記穴に挿入されて接続対象である配線の丸型端子、Ｙ型端子又はフック型端子を前記保護部との間に挟んだ状態の前記棒端子が、前記クランプばねによって前記接点金具に圧接されて、前記配線と前記接点金具とが電気的に接続されることを特徴とする端子台。
【請求項２】
前記棒端子を保持する棒端子保持部と、
前記棒端子保持部を前記クランプ構造部から離れる方向に付勢するセルフアップばねと、
前記クランプ構造部による前記棒端子のクランプを解除するリリーススイッチとを有し、
前記クランプ構造部が前記棒端子をクランプしていない状態では、前記棒端子保持部は、前記棒端子と前記保護部との間に隙間が空いた状態で前記棒端子を保持することを特徴とする請求項１に記載の端子台。
【請求項３】
前記棒端子は、筒状であり、前記穴を貫通する側の端部に切り欠きが形成されていることを特徴とする請求項２に記載の端子台。
【請求項４】
前記棒端子は、円筒状であり、前記切り欠きが形成されている側の端部は半円筒状であることを特徴とする請求項３に記載の端子台。
【請求項５】
前記棒端子は、前記切り欠きが形成されている側と反対の端部に、前記切り欠きの位置を示す切り欠き位置表示部が設けられていることを特徴とする請求項３又は４に記載の端子台。
【請求項６】
前記切り欠き位置表示部は、突起状であることを特徴とする請求項５に記載の端子台。
【請求項７】
中空円筒状で導電性を有する筒部と、該筒部の一端側に設けられたフランジ部とを備え、
前記筒部の他端側は、切り欠きが形成されて半円筒状となっており、
前記フランジ部には、前記切り欠きの位置を示す切り欠き位置表示部が設けられていることを特徴とする棒端子。
【発明の詳細な説明】
【技術分野】
【０００１】
本発明は、基板の導体パターンと配線とを接続する端子台及び棒端子に関する。
【背景技術】
【０００２】
プログラマブルロジックコントローラでは、一つの中央演算処理ユニットから出る配線数が４０００を超えるようになっている。したがって、結線作業の簡略化のため、スクリューレス構造の端子台の採用が進んでいる。特許文献１には、スクリューレス構造の端子台が開示されている。
【先行技術文献】
【特許文献】
【０００３】
【特許文献１】特開平９−１４７９３３号公報
【発明の概要】
【発明が解決しようとする課題】
【０００４】
特許文献１に開示される端子台は、省配線作業及び耐振動性能に優れるが、一つの端子台側電極に二つ以上の配線端子の接続を想定していない。仮に、二つ以上の配線端子を接続させようとすると、押えバネの構造を変更する必要があり、配線の分岐は困難であった。【０００５】
本発明は、上記に鑑みてなされたものであって、容易に配線を分岐させることができるスクリューレス構造の端子台を得ることを目的とする。
【課題を解決するための手段】
【０００６】
上述した課題を解決し、目的を達成するために、本発明は、導電性を有する棒端子と、基板の導体パターンに電気的に接続された接点金具とを有する。本発明は、基板に実装されており、接点金具を覆う保護部を備え、棒端子が貫通する穴が保護部に形成されている土台と、棒端子を接点金具に圧接させるクランプばねを備え、棒端子をクランプするクランプ構造部とを有する。穴に挿入されて接続対象である配線の丸型端子、Ｙ型端子又はフック型端子を保護部との間に挟んだ状態の棒端子が、クランプばねによって接点金具に圧接されて、配線と接点金具とが電気的に接続される。
【発明の効果】
【０００７】
本発明に係る端子台は、スクリューレス構造であり、容易に配線を分岐させることができるという効果を奏する。
【図面の簡単な説明】
【０００８】
【図１】本発明の実施の形態１に係る端子台の構造を示す図
【図２】実施の形態１に係る端子台に配線を接続した状態を示す図
【図３】本発明の実施の形態２に係る端子台の構造を示す図
【図４】実施の形態２に係る端子台に棒端子が取り付けられている配線を接続した状態を示す図
【図５】実施の形態２に係る端子台に棒端子が取り付けられている配線を接続した状態を示す図
【図６】実施の形態２に係る端子台に棒端子が取り付けられている配線と丸型端子が取り付けられている配線とを接続した状態を示す図
【図７】本発明の実施の形態３に係る棒端子の構造を示す図
【図８】実施の形態３に係る棒端子を一般的な端子台に適用した状態を示す図
【発明を実施するための形態】
【０００９】
以下に、本発明の実施の形態に係る端子台及び棒端子を図面に基づいて詳細に説明する。なお、この実施の形態によりこの発明が限定されるものではない。
【００１０】
実施の形態１．
図１は、本発明の実施の形態１に係る端子台の構造を示す図である。実施の形態１に係る端子台５１は、基板１に実装される土台２と、導電性を有する棒端子３と、棒端子３をクランプするクランプ構造部４と、棒端子３を保持する棒端子保持部５と、棒端子保持部５をクランプ構造部４から離れる方向に付勢するセルフアップばね６と、クランプ構造部４による棒端子３のクランプを解除するリリーススイッチ７とを備える。土台２は、クランプ構造部４を上方から覆う保護部２１と、後述するクランプばね４２を保持する凹部２２と、リリーススイッチ７の上部が貫通する穴２４が形成されたリリーススイッチ保持部２３とを有する。保護部２１には、棒端子３の下部が貫通可能な穴２５と、リリーススイッチ７の下部が貫通可能な穴２６とが形成されている。土台２は、絶縁材料で形成されている。
【００１１】
クランプ構造部４は、基板１の導体パターンに電気的に接続された接点金具４１と、棒端子３を接点金具４１に圧接させるクランプばね４２とを備え、棒端子３が接点金具４１に接触した状態で棒端子３をクランプする。棒端子３がクランプ構造部４にクランプされていない場合、棒端子保持部５は、保護部２１との間に隙間が空いた状態で棒端子３を保持する。棒端子３と保護部２１との間に隙間が空いていることにより、棒端子３を棒端子保持部５から取り外すことなく、後述するように丸型端子に棒端子３を貫通させることができる。なお、棒端子３には、Ｙ型端子又はフック型端子を係合させることもできる。端子台５１は、クランプ構造部４を備えることにより、配線の着脱が容易である。
【００１２】
リリーススイッチ７は、絶縁材料で形成されている。リリーススイッチ７は、押下されると下部が穴２６を貫通してクランプ構造部４に挿入され、クランプばね４２を押し下げる。リリーススイッチ７を押下した状態において、棒端子３をクランプ構造部４に挿入してからリリーススイッチ７の押下を解除することにより、クランプ構造部４に挿入された棒端子３は、クランプ構造部４によってクランプされる。クランプ構造部４が棒端子３をクランプしている状態においてリリーススイッチ７がクランプばね４２を押し下げることにより、棒端子３とクランプばね４２との間に隙間が生じ、クランプ構造部４による棒端子３のクランプは解除される。
【００１３】
図２は、実施の形態１に係る端子台に配線を接続した状態を示す図である。棒端子３は、接続対象である配線８１の端部に取り付けられた丸型端子９１及び接続対象である配線８２の端部に取り付けられた丸型端子９２を貫通して、保護部２１の穴２５を通じてクランプ構造部４に挿入され、クランプ構造部４においてクランプされている。したがって、配線８１，８２は、棒端子３を介して接点金具４１と電気的に接続されている。これにより、実施の形態１に係る端子台５１は、接点金具４１に対して複数の配線８１，８２を電気的に接続することができ、中継端子台を用いることなく配線８１，８２を分岐できる。接点金具４１が電源に通じているのであれば、配線８１，８２を分岐させることにより、電源を共通化して低コスト化を図ることができる。なお、分岐させた配線が短い場合には、配線を分岐させることを「渡り配線を行う」と称することもあるが、本明細書では、分岐させた配線の長さに関わらず「配線を分岐させる」という。
【００１４】
ここでは接続対象である配線８１，８２のどちらにも丸型端子９１，９２が取り付けられている構造を示したが、実施の形態１に係る端子台５１は、丸型端子、Ｙ型端子又はフック型端子が取り付けられた二つ以上の配線を、接点金具４１に対して電気的に接続することができる。
【００１５】
実施の形態１に係る端子台５１は、スクリューレス構造であり、容易に配線を分岐させることができる。
【００１６】
実施の形態２．
図３は、本発明の実施の形態２に係る端子台の構造を示す図である。実施の形態２に係る端子台５２は、棒端子３が中空の円筒状である点で実施の形態１に係る端子台５１と相違する。実施の形態２に係る端子台５２では、棒端子３は、保護部２１の穴２５を通じてクランプ構造部４に挿入される側に切り欠き３１が形成されている。したがって、実施の形態２では、棒端子３の切り欠き３１が形成されている側は、半円筒状になっている。棒端子３の切り欠き３１が形成されている側とは反対の端部には、切り欠き３１の位置を示す切り欠き位置表示部３２が設けられている。なお、図３では、切り欠き位置表示部３２を突起状に図示しているが、切り欠き位置表示部３２は突起状である必要はなく、凹状の刻印であっても良いし、印字による凹凸のない表示であってもよい。
【００１７】
図４及び図５は、実施の形態２に係る端子台に棒端子が取り付けられている配線を接続した状態を示す図である。棒端子３の筒内には、接続対象である配線８３の棒端子９３が通されている。図４に示すように、棒端子３の切り欠き３１を接点金具４１側に向けると、クランプばね４２は棒端子３と接触し、棒端子３と接点金具４１との間に隙間が生じるため、棒端子３だけがクランプ構造部４にクランプされる。したがって、棒端子３の切り欠き３１を接点金具４１側に向けた状態では、棒端子９３を棒端子３の中に抜き差しすることが可能である。一方、図５に示すように、棒端子３の中に棒端子９３を挿入した状態で棒端子３の切り欠き３１をクランプばね４２側に向けると、棒端子９３にクランプばね４２が接触し、棒端子９３は棒端子３とともにクランプ構造部４でクランプされる。
【００１８】
上記のように、実施の形態２に係る端子台５２では、リリーススイッチ７を用いなくても、棒端子３に挿入する棒端子９３のクランプ及びクランプの解除が可能である。なお、切り欠き位置表示部３２を突起状とする場合には、切り欠き位置表示部３２に指を掛けて棒端子３の向きを変えることができる。すなわち、切り欠き位置表示部３２を突起状とすることにより、棒端子３を回転させる操作を切り欠き位置表示部３２を用いて行える。
【００１９】
なお、棒端子３に挿入する棒端子９３のクランプ及びクランプの解除にリリーススイッチ７を用いるのであれば、棒端子３を回転させる必要がないため、棒端子３は筒状であればよく、必ずしも円筒状である必要はない。
【００２０】
図６は、実施の形態２に係る端子台に棒端子が取り付けられている配線と丸型端子が取り付けられている配線とを接続した状態を示す図である。配線８３に加え、実施の形態１に係る端子台５１と同様に、棒端子３を介して配線８１，８２を接点金具４１に電気的に接することも可能である。
【００２１】
実施の形態２に係る端子台５２は、接点金具４１に対して複数の配線８１，８２，８３を電気的に接続することができ、中継端子台を用いることなく配線８１，８２，８３を分岐できる。配線８１，８２，８３が電源配線であるならば、分岐させることにより、電源を共通化して低コスト化を図ることができる。
【００２２】
上記の説明においては、接続対象である配線８３の端部に棒端子９３が取り付けられているとしたが、接続対象である配線８３の端部は、芯線が露出していてもよい。すなわち、実施の形態２に係る端子台５２においては、棒端子３の筒内に、接続対象である配線８３の芯線を通すこともできる。なお、実施の形態２にかかる端子台５２は、複数の配線の芯線同士を撚ることで、棒端子３の筒内に芯線を通した複数の配線を、接点金具４１に電気的に接続することもできる。
【００２３】
実施の形態２に係る端子台は、端部に丸型端子、Ｙ型端子又はフック型端子が取り付けられた配線だけでなく、端部に棒端子が取り付けられている配線又は芯線が露出している配線も容易に分岐させることができる。また、実施の形態２に係る端子台は、切り欠き位置表示部を有するため、端部に棒端子が取り付けられている配線又は芯線が露出している配線がクランプされているか否かをユーザが容易に認識できる。
【００２４】
実施の形態３．
図７は、本発明の実施の形態３に係る棒端子の構造を示す図である。実施の形態３に係る棒端子１１は、中空円筒状で導電性を有する筒部１１１と、筒部１１１の一端側に設けられたフランジ部１１２とを有する。筒部１１１の他端側には、切り欠き１１３が設けられており、筒部１１１の他端側は半円筒状になっている。フランジ部１１２には、切り欠き１１３の位置を示す切り欠き位置表示部１１４が設けられている。
【００２５】
図８は、実施の形態３に係る棒端子を一般的な端子台に適用した状態を示す図である。一般的な端子台６０は、基板１に実装される土台６１と、棒端子１１をクランプするクランプ構造部６２と、クランプ構造部６２による棒端子３のクランプを解除するリリーススイッチ６３とを備える。土台６１は、クランプ構造部６２の上方を覆う保護部６１１と、クランプばね４２を保持する凹部６１２とを備えている。
【００２６】
実施の形態３に係る棒端子１１は、接続対象である配線８４，８５の端部に取り付けられた丸型端子、Ｙ型端子又はフック型端子を保護部６１１とフランジ部１１２との間に挟み込んだ状態で筒部１１１がクランプ構造部６２でクランプされることにより、配線８４，８５を接点金具４１に電気的に接続し、配線８４，８５を分岐させることができる。また、筒部１１１内を通した棒端子９３又は芯線をクランプ構造部６２で棒端子１１とともにクランプすることにより、端部に棒端子９３が取り付けられた配線又は端部の芯線が剥き出しの配線を用いて配線を分岐させることも可能である。
【００２７】
実施の形態３に係る棒端子は、一般的な端子台において、端部に棒端子が取り付けられている配線又は芯線が露出している配線を容易に分岐させることができる。
【００２８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２９】
１  基板、２，６１  土台、３，１１，９３  棒端子、４，６２  クランプ構造部、５  棒端子保持部、６  セルフアップばね、７，６３  リリーススイッチ、２１，６１１  保護部、２２，６１２  凹部、２３  リリーススイッチ保持部、２４，２５，２６  穴、３１，１１３  切り欠き、３２，１１４  切り欠き位置表示部、４１  接点金具、４２  クランプばね、５１，５２，６０  端子台、８１，８２，８３，８４，８５  配線、９１，９２  丸型端子、１１１  筒部、１１２  フランジ部。
【要約】
端子台（５１）は、導電性を有する棒端子（３）と、基板（１）の導体パターンに電気的に接続された接点金具（４１）と、基板（１）に実装されており、接点金具（４１）を覆う保護部（２１）を備え、棒端子（３）が貫通する穴（２５）が保護部（２１）に形成されている土台（２）と、棒端子（３）を接点金具（４１）に圧接させて棒端子（３）をクランプするクランプばね（４２）を備えたクランプ構造部（４）とを有し、穴（２５）に挿入されて接続対象である配線（８１，８２）の丸型端子（９１，９２）を保護部（２１）との間に挟んだ状態の棒端子（３）が、クランプばね（４２）によって接点金具（４１）に圧接されて、配線（８１，８２）と接点金具（４１）とが電気的に接続される。【図１】
0006279194.tif 000002
【図２】
0006279194.tif 000003
【図３】
0006279194.tif 000004
【図４】
0006279194.tif 000005
【図５】
0006279194.tif 000006
【図６】
0006279194.tif 000007
【図７】
0006279194.tif 000008
【図８】
0006279194.tif 000009